(57)【要約】      （修正有）【課題】マンション等のベランダやバルコニーに、特別な工事が不要であって、安全かつ容易に太陽電池パネルを取り付け可能な太陽電池パネル取付け金具を提供する。【解決手段】太陽電池パネル固定部１２と、当該太陽電池パネル固定部１２を支持するための支持部１３と、当該支持部１３と連結され、壁面上部に圧接して固定可能な壁面上部固定部１１とを備え、上記太陽電池パネル固定部１２は、太陽電池パネル裏面の延長面と壁面上部との交線が、壁面上部の最も屋外側よりも屋内側に位置するように、太陽電池パネルを固定可能としたものである。【選択図】図１
0003181219.tif 000002
【実用新案登録請求の範囲】
【請求項１】
太陽電池パネル固定部と、
当該太陽電池パネル固定部を支持するための支持部と、
当該支持部と連結され壁面上部に固定可能な壁面上部固定部と、
を備え、
上記太陽電池パネル固定部に固定された太陽電池パネルの受光面が屋外側を向くように、上記壁面上部固定部を壁面上部に固定した際に、上記太陽電池パネル固定部は上記太陽電池パネル裏面の延長面と上記壁面上部との交線が当該壁面上部の最も屋外側よりも屋内側に位置するように上記太陽電池パネルを固定可能である
ことを特徴とする太陽電池パネル取付け金具。
【請求項２】
上記壁面上部固定部は、ねじ止めにより壁面上部に固定可能である
ことを特徴とする請求項１に記載の太陽電池パネル取付け金具。
【請求項３】
上記太陽電池パネル固定部と上記壁面上部固定部とが、ワイヤーによってさらに連結されている
ことを特徴とする請求項１または２に記載の太陽電池パネル取付け金具。
【考案の詳細な説明】
【技術分野】
【０００１】
本考案は、太陽電池パネルの設置に関するものであり、特にベランダやバルコニーに用いるものに関する。
【背景技術】
【０００２】
環境問題への意識の高まりや原発事故を受け、一般家庭においても、自然エネルギーの利用に関心が集まっている。特に、太陽光発電は多くの家庭で実用化が進んでいる。
しかし、ほとんどが屋根に太陽電池パネルを設置する形態で使われており、したがって、屋根が無いマンション等においては、太陽光発電を利用したいという潜在需要が多いにも拘わらず、ほとんど利用できない状況にある。
【０００３】
マンション等の集合住宅においても太陽電池パネルを設置できるようにするため、ベランダ等のフェンス部に工夫を凝らすことが提案されている。この提案においては、ベランダのフェンスを支持する複数の支柱間に太陽電池パネルをはめ込んで固定する。支柱の側面には、太陽電池パネルを挿入できる溝が設けられ、その溝に太陽電池を挿入することで、着脱可能に設置ができる。（例えば、特許文献１）。
【先行技術文献】
【特許文献】
【０００４】
【特許文献１】特開２００１−３２３６２５
【考案の概要】
【考案が解決しようとする課題】
【０００５】
しかしながら、上述の太陽電池の設置方式は、ベランダやバルコニーのフェンスを当初から太陽電池パネルを挿入可能な形態で構成する必要があった。したがって、上述のような特別なフェンスが無いマンション等に入居後に、新たに太陽電池パネルを設置することは不可能であった。あるいは、大規模な工事が必要であった。
【０００６】
また、太陽電池パネルの受光面がフェンスの外側にあるため、受光面が埃や風雨、鳥の糞等により汚れても、清掃することが困難であった。したがって、経時的に発電量が減少するといった問題があった。
さらに、受光面をベランダ等の床面に対して垂直方向にしか設置できないため、太陽光を効率よく受光することができないという問題点もあった。
【０００７】
本発明は上記の課題等を解決するためになされたものであり、戸建てや一般のマンションのベランダの腰壁等に容易に設置可能な太陽電池パネルの取付け装置を提供するものである。
【課題を解決するための手段】
【０００８】
本考案に係る太陽電池パネル取付け金具は、太陽電池パネル固定部と、当該太陽電池パネル固定部を支持するための支持部と、当該支持部と連結され壁面上部に固定可能な壁面上部固定部と、を備え、
上記太陽電池パネル固定部に固定された太陽電池パネルの受光面が屋外側を向くように、上記壁面上部固定部を壁面上部に固定した際に、上記太陽電池パネル固定部は上記太陽電池パネル裏面の延長面と上記壁面上部との交線が当該壁面上部の最も屋外側よりも屋内側に位置するように上記太陽電池パネルを固定可能であることを特徴とする。
【０００９】
また、本考案に係る太陽電池パネル取付け金具は、上記壁面上部固定部は、ねじ止めにより壁面上部に固定可能であることを特徴とする。
【００１０】
さらに、本考案に係る太陽電池パネル取付け金具は、上記太陽電池パネル固定部と上記壁面上部固定部とが、ワイヤーによってさらに連結されていることを特徴とする。
【考案の効果】
【００１１】
本考案に係る太陽電池パネル取付け金具は上記のように構成されるため、熟練者でなくても、容易且つ安全に太陽電池パネルをベランダやバルコニーの腰壁に設置可能である。また、太陽電池の受光面が腰壁の屋内側に位置するため、受光部の清掃等のメンテナンスを容易に行うことができる。
【図面の簡単な説明】
【００１２】
【図１】本考案に係る太陽電池パネル取付け金具を用いて太陽電離パネルを腰壁に設置した状態を表す側面図である。
【図２】本考案に係る太陽電池パネル取付け金具の斜視図である。
【図３】本考案に係る別の太陽電池パネル取付け金具の斜視図である。
【図４】本考案に係る太陽電池パネル取付け金具の効果を説明する図である。
【考案を実施するための形態】
【００１３】
実施の形態．
本考案に係る太陽電池パネル取付け金具の構成等に関して、以下において、図面を用いて説明する。なお、以下の説明は本考案に関する良好な一例を開示するものであり、本考案が当該実施の形態に限定されるものではない。
【００１４】
まず、本考案に係る太陽電池パネル取付け金具の構成に関して、図１および図２を用いて説明する。
太陽電池パネル取付け金具１は、壁面上部固定部１１、太陽電池パネル固定部１２、支持部１３およびワイヤ取付け部１４ａ、１４ｂ、および落下防止用ワイヤからなる。
【００１５】
壁面上部固定部１１は、太陽電池パネル取付け金具１と太陽電池パネル２０とを、ベランダやバルコニーの腰壁やフェンス３０の上部に固定するためのクランプ機構であり、ネジ部とネジ部を回すための回転ハンドルを備えたハンドル部１１ａ、および圧接板１１ｂとからなる。
回転ハンドルを回すことでネジ部が圧接部１１ｂを押し込み、圧接部１１ｂが腰壁等３０の上部側面と圧接することで固定される。
【００１６】
太陽電池パネル固定部１２は、太陽電池パネル２０を所定の角度で固定するものである。太陽電池パネルの固定角度Ａは、２０°から３０°である。例えば、南側に向かって太陽電池パネル２０の受光面を設置する際には固定角度Ａを３０°とし、東側や西側に向かって設置する際には固定角度Ａを２０°とすることで、効率よく太陽光を受光できる。また、季節のよって受光角度Ａを変えても良い。
【００１７】
図２は、太陽電池パネル２０を取り付ける面から太陽電池パネル取付け金具１を見た図である。太陽電池パネル固定部１２には、いくつかの貫通穴１２ａが設けられ、この貫通穴１２ａにビスを通して、太陽電池パネル２０の裏面に設けられたネジ穴にビスをネジ止めして、太陽電池パネル２０を固定することができる。
【００１８】
支持部１３は、図１および図２に示すようにＬ字状部材であり、壁面上部固定部１１および太陽電池パネル固定部１２とネジ止め等により取り付けられる。固定角度Ａを変更する場合には、現在取り付けている太陽電池パネル固定部１２を外し、異なる角度を有する太陽電池パネル固定部１２をこの支持部１３にネジ止め等により取り付けてやればよい。
【００１９】
パネル固定部１２の下部にはワイヤ取付け部１４ａが、壁面上部固定部１１にはワイヤ取付け部１４ｂが、それぞれネジ止め等により十分な強度を持ってしっかりと取り付けられている。そして、２つのワイヤ取付け部１４ａと１４ｂに、金属製の落下防止用ワイヤ１５を取り付ける。
【００２０】
なお、太陽電池パネル固定部１２は、図３に示すように、受光面と矢印Ｂで示す上部が開口したフレーム１７を用いても良い。このようなフレームを用いれば、ネジ止め等の作業が不要であり、太陽電池パネル２０を矢印Ｂ方向からフレーム１７に挿入することで取付けができる。
【００２１】
次に、太陽電池パネル取付け金具１および太陽電池パネル２０の設置方法について説明する。
まず、太陽電池パネル２０を太陽電池パネル取付け金具１の太陽電池パネル固定部１２にネジ止めにより取り付ける。そして、全体を持ち上げて、壁面上部固定部１１がベランダの腰壁等３０の上壁部を挟み込むように設置する。
【００２２】
そして、全体を片手で支えながら、もう一方の手でハンドル部１１ａを回すことで、壁面上部固定部１１がベランダの腰壁等３０の上壁部にしっかりと圧接固定されるようにする。ある程度固定されたところで、全体から手を離して、ハンドル部１１ａを強く回してさらにしっかりと固定する。
【００２３】
太陽電池パネル２０が取り付けられた太陽電池パネル取付け金具１全体の重さは５ｋｇ程度であり、上述の作業は一人でも容易にできる。
さらに、この設置作業を行う際には、太陽電池パネル２０が取り付けられた太陽電池パネル取付け金具１全体の重心位置は、壁面上部固定部１１よりも常に屋内側にあるため、誤って全体をベランダから屋外に落下させてしまうといった事故が起こることは無い。
【００２４】
また、図３に示すフレーム１７を備えた太陽電池パネル取付け金具１を用いれば、壁面上部固定部１１により太陽電池パネル取付け金具１を腰壁等３０の上壁部に設置した後に、太陽電池パネル２０をフレーム１７に挿入できるので、より簡単かつ安全に設置作業を行うことができる。
【００２５】
次に、本考案に係る太陽電池パネル取付け金具１が有する特長について説明する。
太陽電池パネル取付け金具１は上記のように構成されているので、今までは困難であったマンションや戸建てのベランダの壁等に特別な工事を行うことなく取り付けることができる。
【００２６】
また、ベランダ内の作業であるため、安全且つ容易にユーザー自身が設置可能であるとともに、屋外に太陽電池パネル等を落下させる心配もない。
さらに、ベランダの壁等の一部を利用するだけで、わずかなスペースで設置できる。
【００２７】
太陽電池パネルが風雨や埃にさらされ、あるいは鳥の糞により受光面が汚れても、手の届く場所にパネルがあるため、ベランダ等から身を乗り出すことなく、掃除やメンテナンスを安全で簡単に行える。したがって、経時的に発電量が落ちる心配もない。
また、着脱が容易なので、金具からパネルを外して屋根の上に置いたり、地面に直接置くといった使用形態の変更も可能である。
さらに、太陽電池パネルの角度変更も容易に行えるため、発電効率を向上できる。
【００２８】
なお、発電効率に関しては、腰壁等の内側に設置するため、上階のベランダによって、日照が遮られることが心配される。しかし、上階のベランダ端部はほぼ腰壁等の直上部に位置することが普通であり、図１に示すように、腰壁等の近くに太陽電池パネルを設置すれば、上階のベランダによる日光の遮蔽効果はわずかであり、腰壁等の屋外側に太陽電池パネルを設けた場合と比べて、発電量に大きな差は生じない。
【００２９】
むしろ、本考案のように屋内に設置した場合には、太陽電池パネル受光面の清掃が容易に行えるため、腰壁等の屋外側に設置する場合に比べて、長期的にみれば発電効率は向上すると考えられる。
また、マンション等の集合住宅のルールでは、ベランダから屋外にはみ出して物を設置することを、安全上あるいは外観保全上の理由で禁止しているところも多い。本考案のように、屋内側に設置しているのであれば、このようなルールを懸念する必要が無い。
【００３０】
なお、上記の安全上の問題は特に重要である。例えば、屋外側に設置すれば、大きな面積の太陽電池は、風の大きな影響を受けて、固定部が徐々に緩み、最終的に屋外の道路等に太陽電池パネルが落下するといった大事故を起こす危険性もある。
この風の影響については、図４を用いて、さらに考察する。
【００３１】
まず、前述したように、太陽電池パネルが取り付けられた太陽電池パネル取付け金具全体の重心位置は、壁面上部固定部よりも屋内側にあるため、図４に示すように、壁面上部固定部を支点（回転中心）として、Ｃで示す反時計回りに回転のトルクが常に生じている。
【００３２】
そして、太陽電池パネルの正面からＤ１の風が来た場合、この風圧により、全体はＣ方向に回転トルクを与えられる。すなわち、全体の重心位置が与える回転トルクと同方向である。したがって、全体が風圧によって動かされることは無い。
一方、太陽電池パネルの裏側から風が来た場合には、全体を時計回りに回転させるトルクが生じる。このように、元々重心位置によって生じる回転トルクと逆方向のトルクが生じた場合、全体がガタガタと動かされてしまう。
【００３３】
このガタガタとした動きは最初はわずかな動きかもしれないが、長期間に渡って、ガタガタした動きが続くと、次第にネジ部等に緩みが生じて、それにより動きが大きくなり、さらにネジ部が緩むことで、最終的にはネジが外れて、太陽電池パネルが落下するといった危険性があることに留意すべきである。
【００３４】
特に、太陽電池パネルの面積は大きいため、風圧の影響は非常に大きなものであり、大きな風圧を長年に渡って受けると、このようなネジ部等の接続部分の経時変化は無視できなくなる。
しかしながら、本考案の場合、太陽電池パネルの裏側から強い風を受けることは稀である。以下にその理由を説明する。
【００３５】
マンションのような高層住宅のベランダにおいては、図４のＤ２に示すような、下から吹き上げてくる強い風が最も問題となる。しかし、本考案に係る太陽電池パネル取付け金具の場合、太陽電池パネルは腰壁に対して屋内側に設置されるため、腰壁が風除けとなり、太陽電池パネルの裏側に風が回りこまない。
【００３６】
一方、太陽電池パネルを屋外側に設置した場合には、図４にＤ２で示す上昇する強い風を絶えず受け続けることになり、長期的な設置強度信頼性が脅かされることになる。特に、屋外側に設置しているので、落下により大事故となる危険性がある。
【００３７】
本考案に係る太陽電池パネル取付け金具の場合、図４にＥで示す一点鎖線よりも屋外側に、太陽電池パネルの裏面がはみ出さなければ、上昇するＤ２の風の回り込みを最小限に抑えることが可能となり、長期的な設置強度信頼性を確保できる。
【００３８】
また、本考案に係る太陽電池パネル取付け金具は、落下防止用ワイヤ１５を備えているので、屋内側に対しても、太陽電池パネルの落下を防ぐことができる。なお、落下防止用ワイヤ１５をピンと張ることで、壁面上部固定部１１とパネル固定部１２との固定強度が増し、より堅固な構造を実現できる。
【符号の説明】
【００３９】
１  太陽電池パネル取付け金具
１１  壁面上部固定部    １１ａ  ハンドル部    １２ｂ  圧接板  
１２  太陽電池パネル固定部    １２ａ  貫通穴
１３  支持部
１４ａ、１４ｂ  ワイヤ取付け部    １５  落下防止用ワイヤ
１７  フレーム
【図１】
0003181219.tif 000003
【図２】
0003181219.tif 000004
【図３】
0003181219.tif 000005
【図４】
0003181219.tif 000006